(57)【要約】【課題】  壁掛け形の空気調和装置の室内ユニットを壁面に固定された据付板を介して取り付けた際に、据付板と壁面との間の隙間が大きくならないようにする。【解決手段】  据付板５３は、空気調和装置１の室内ユニット２を空調室内の壁面Wに取り付けるための部材であって、主板部６１と取付部６２とを備えている。主板部６１は、壁面Wに沿うように配置されて固定されている。取付部６２は、主板部６１から反壁面側に向かって延びるように、かつ、主板部６１の上下方向に延びるように形成された板状の第１補強部６２ａと、第１補強部６２ａに形成され室内ユニット２を掛止させるための支持部６２ｂとを有している。【選択図】      図４
2005069636.tif 000002
【特許請求の範囲】
【請求項１】
空気調和装置の室内ユニットを空調室内の壁面（Ｗ）に取り付けるための据付板（５３）であって、
前記壁面に沿うように配置されて固定される主板部（６１）と、
前記主板部から反壁面側に向かって延びるように、かつ、前記主板部の上下方向に延びるように形成された板状の第１補強部（６２ａ）と、前記第１補強部に形成され前記室内ユニットを掛止させるための支持部（６２ｂ）とを有する取付部（６２）と、
を備えた据付板（５３）。
【請求項２】
前記主板部（６１）は、前記壁面（Ｗ）に前記主板部をネジ止めするために前記第１補強部（６２ａ）の近傍に形成されたネジ孔（６１ｈ）を有している、請求項１に記載の据付板（５３）。
【請求項３】
前記ネジ孔（６１ｈ）は、前記主板部（６１）と前記第１補強部（６２ａ）との境界位置（Ｍ）から水平方向に１５ｍｍ以下の距離（Ｌ2）範囲内に形成されている、請求項２に記載の据付板（５３）。
【請求項４】
前記第１補強部（６２ａ）は、前記主板部（６１）との境界位置（Ｍ）から反壁面側に向かって１５ｍｍ以上、２５ｍｍ以下の距離（Ｌ1）まで延びている、請求項１〜３のいずれかに記載の据付板（５３）。
【請求項５】
前記支持部（６２ｂ）は、前記第１補強部（６２ａ）から側方に延びるように、かつ、前記主板部（６１）の上下方向に延びるように形成された板状部分である、請求項１〜４のいずれかに記載の据付板（５３）。
【請求項６】
前記取付部（６２）は、前記支持部（６２ａ）から壁面側に向かって延びるように、かつ、前記主板部（６１）の上下方向に延びる板状の第２補強部（６２ｃ）をさらに有している、請求項５に記載の据付板（５３）。
【請求項７】
前記取付部（６２）は、複数個設けられている、請求項１〜６のいずれかに記載の据付板（５３）。
【請求項８】
送風ファン（２２）と、
前記送風ファンを支持する下部ケーシング（５５）と、
前記送風ファンの上側を覆うように配置されるとともに前記下部ケーシングに固定された側面視が略逆Ｖ字形の断面形状を有する熱交換器（２１）と、
前記熱交換器の反壁面側及び上側を覆うように配置され、吸入口（５４ｃ）を有する上部ケーシング（５４）と、
前記熱交換器の壁面側を覆うように配置された請求項１〜７のいずれかに記載の据付板（５３）と、
を備えた空気調和装置の室内ユニット（２）。
【請求項９】
前記取付部（６２）は、前記吸入口（５４ｃ）をバイパスして前記据付板（５３）の両側端部付近から流入しようとする室内空気の流れを遮断するために、前記熱交換器（２１）の両側端部の近傍に配置されている、請求項８に記載の空気調和装置の室内ユニット（２）。
【発明の詳細な説明】
【技術分野】
【０００１】
本発明は、据付板、特に、空気調和装置の室内ユニットを空調室内の壁面に取り付けるための据付板に関する。
【背景技術】
【０００２】
壁掛け形の空気調和装置の室内ユニットは、空調室内の壁面に固定された据付板に掛止されることによって取り付けられている。
このような据付板は、壁面に沿うように配置されて固定された主板部と、主板部から上方に向かって延びる側面視が略Ｌ字形状の取付部とを有している。すなわち、この取付部は、主板部から反壁面側に向かって延びるようにかつ側方に向かって延びる突出部と、突出部の反壁面側端部から上方に向かって延びる支持部とから構成されている。この取付部は、据付板の一部を切り起こしたり折り曲げたりすることによって形成されている。そして、室内ユニットは、壁面側上部に被支持部を有しており、この被支持部が据付板の支持部に掛止されることによって、壁面に取り付けられている（例えば、特許文献１及び特許文献２参照。）。
【０００３】
このような室内ユニットでは、室内ユニットの被支持部が据付板の支持部に掛止された状態において、被支持部を支点にして室内ユニットを回転させて、その下部を反壁面側に傾けることによって、空調室外に設置された室外ユニットと配管接続を行うための作業スペースが確保できるようになっている。
ところで、最近では、空調性能を重視した結果、室内ユニットの高さ方向のサイズを大きくする場合がある。このような製品においては、室内ユニットを回転させた際に、室内ユニットの頂部が空調室内の天井に当たってしまい、配管接続を行うための作業スペースが十分に確保できなくなってしまうため、据付板の支持部をさらに反壁面側に配置して、室内ユニットの頂部が天井に当たらないようにする必要がある。
【０００４】
しかし、据付板の支持部をさらに反壁面側に配置するために据付板の突出部の反壁面側への突出距離を大きくすると、突出部の下向きの荷重に対する強度が低下してしまい、結果的に、取付部に室内ユニットの製品荷重を受けるのに十分な強度を保持させることができなくなってしまう。このため、据付板の主板部の取付部近傍において主板部が反壁面側に撓んでしまい、室内ユニットを据付板に取り付けた際に、据付板と壁面との隙間が大きくなるという問題が生じる。
【特許文献１】特公平７−６６８４号公報
【特許文献２】特開平１０−１８５２９８号公報
【発明の開示】
【発明が解決しようとする課題】
【０００５】
本発明の課題は、壁掛け形の空気調和装置の室内ユニットを壁面に固定された据付板を介して取り付けた際に、据付板と壁面との間の隙間が大きくならないようにすることにある。
【課題を解決するための手段】
【０００６】
請求項１に記載の据付板は、空気調和装置の室内ユニットを空調室内の壁面に取り付けるための据付板であって、主板部と取付部とを備えている。主板部は、壁面に沿うように配置されて固定されている。取付部は、主板部から反壁面側に向かって延びるように、かつ、主板部の上下方向に延びるように形成された板状の第１補強部と、第１補強部に形成され室内ユニットを掛止させるための支持部とを有している。
【０００７】
この据付板では、上下方向に延びるように形成され下向きの荷重に対して強度の高い第１補強部を介して、取付部の支持部が設けられているため、取付部の強度が向上している。これにより、支持部が主板部から反壁面側に離れた位置に設けられる場合であっても、取付部の近傍における主板部の撓みが小さくなり、壁面と据付板との隙間が大きくならないようにすることができる。
【０００８】
請求項２に記載の据付板は、請求項１において、主板部は、壁面に主板部をネジ止めするために第１補強部の近傍に形成されたネジ孔を有している。
この据付板では、主板部の第１補強部の近傍にネジ孔が形成されており、このネジ孔の位置において主板部が壁面にネジ止めにより固定されているため、第１補強部の近傍における主板部の撓みをさらに小さくできる。
【０００９】
請求項３に記載の据付板は、請求項２において、ネジ孔は、主板部と第１補強部との境界位置から水平方向に１５ｍｍ以下の距離範囲内に形成されている。
例えば、ネジ孔を主板部と第１補強部との境界位置から水平方向に１５ｍｍよりも離して形成すると、撓みが生じやすい主板部の第１補強部の近傍の部分を壁面に固定しておくことが難しい。しかし、この据付板では、ネジ孔が主板部と第１補強部との境界位置から水平方向に１５ｍｍ以下の距離範囲内に形成されているため、第１補強部の近傍における主板部の撓みを小さくする効果を確実に得ることができる。
【００１０】
請求項４に記載の据付板は、請求項１〜３のいずれかにおいて、第１補強部は、主板部との境界位置から反壁面側に向かって１５ｍｍ以上、２５ｍｍ以下の距離まで延びている。
例えば、第１補強部を主板部との境界位置から反壁面側に向かって２５ｍｍよりも大きくなるように延ばすと、支持部を主板部から大きく離れた位置に配置することができるが、第１補強部に下向きの荷重に対する強度を保持させることができなくなるおそれがある。一方、第１補強部を主板部との境界位置から反壁面側に向かって１５ｍｍよりも小さくなるように延ばすと、支持部を主板部から離れた位置に配置することができなくなり、支持部を支点にして室内ユニットを回転させた際に、室内ユニットの頂部が空調室内の天井に当たってしまい、配管接続を行うための作業スペースを確保することができなくなる。このように、この据付板では、第１補強部が主板部との境界位置から反壁面側に向かって１５ｍｍ以上、２５ｍｍ以下の距離まで延びているため、第１補強部に下向きの荷重に対する強度を保持させつつ、支持部を主板部から離れた位置に配置することができるようになる。
【００１１】
請求項５に記載の据付板は、請求項１〜４のいずれかにおいて、支持部は、第１補強部から側方に延びるように、かつ、主板部の上下方向に延びるように形成された板状部分である。
この据付板では、支持部が、第１補強部と同様に、下向きの荷重に対して強度が高くなっているため、取付部自体の剛性が高くなっている。これにより、主板部の取付部の近傍における撓みを小さくするのに寄与できる。
【００１２】
請求項６に記載の据付板は、請求項５において、取付部は、支持部から壁面側に向かって延びるように、かつ、主板部の上下方向に延びる板状の第２補強部をさらに有している。
この据付板では、第２補強部が、第１補強部及び支持部と同様に、下向きの荷重に対して強度が高くなっているため、取付部自体の剛性がさらに高くなっている。これにより、主板部の取付部の近傍における撓みを小さくするのに寄与できる。
【００１３】
請求項７に記載の据付板は、請求項１〜６のいずれかにおいて、取付部は、複数個設けられている。
この据付板では、取付部が複数個設けられているため、各取付部に作用する荷重を小さくして、主板部の取付部の近傍の撓みを小さくすることができる。
請求項８に記載の空気調和装置の室内ユニットは、送風ファンと、下部ケーシングと、熱交換器と、上部ケーシングと、請求項１〜７のいずれかに記載の据付板とを備えている。下部ケーシングは、送風ファンを支持している。熱交換器は、送風ファンの上側を覆うように配置されるとともに下部ケーシングに固定された側面視が略逆Ｖ字形の断面形状を有している。上部ケーシングは、熱交換器の反壁面側及び上側を覆うように配置され、吸入口を有している。据付板は、熱交換器の壁面側を覆うように配置されている。
【００１４】
この空気調和装置の室内ユニットでは、据付板が室内ユニットの壁面側の部分を構成している。このような室内ユニットにおいても、据付板の取付部の強度が向上している。これにより、支持部が主板部から反壁面側に離れた位置に設けられる場合であっても、主として、取付部において、室内ユニットの製品荷重を受けることが可能になるため、取付部の近傍における主板部の撓みが小さくなり、壁面と据付板との隙間が大きくならないようにすることができる。
【００１５】
請求項９に記載の空気調和装置の室内ユニットは、請求項８において、取付部は、吸入口をバイパスして据付板の両側端部付近から流入しようとする室内空気の流れを遮断するために、熱交換器の両側端部の近傍に配置されている。
この空気調和装置の室内ユニットでは、据付板の取付部によって、上部ケーシングに設けられた吸入口をバイパスして据付板の両側端部付近から流入しようとする室内空気の流れを遮断することができるため、熱交換器への埃等の侵入を防ぐことができる。
【発明の効果】
【００１６】
以上の説明に述べたように、本発明によれば、以下の効果が得られる。
請求項１にかかる発明では、上下方向に延びるように形成され下向きの荷重に対して強度の高い第１補強部を介して、取付部の支持部が設けられているため、取付部の強度が向上している。これにより、支持部が主板部から反壁面側に離れた位置に設けられる場合であっても、取付部の近傍における主板部の撓みが小さくなり、壁面と据付板との隙間が大きくならないようにすることができる。
【００１７】
請求項２にかかる発明では、主板部の第１補強部の近傍にネジ孔が形成されており、このネジ孔の位置において主板部が壁面にネジ止めにより固定されているため、第１補強部の近傍における主板部の撓みをさらに小さくできる。
請求項３にかかる発明では、ネジ孔が主板部と第１補強部との境界位置から水平方向に１５ｍｍ以下の距離範囲内に形成されているため、第１補強部の近傍における主板部の撓みを小さくする効果を確実に得ることができる。
【００１８】
請求項４にかかる発明では、第１補強部が主板部との境界位置から反壁面側に向かって１５ｍｍ以上、２５ｍｍ以下の距離まで延びているため、第１補強部に下向きの荷重に対する強度を保持させつつ、支持部を主板部から離れた位置に配置することができるようになる。
請求項５にかかる発明では、支持部が、第１補強部と同様に、下向きの荷重に対して強度が高くなっているため、取付部自体の剛性が高くなっている。これにより、主板部の取付部の近傍における撓みを小さくするのに寄与できる。
【００１９】
請求項６にかかる発明では、第２補強部が、第１補強部及び支持部と同様に、下向きの荷重に対して強度が高くなっているため、取付部自体の剛性がさらに高くなっている。これにより、主板部の取付部の近傍における撓みを小さくするのに寄与できる。
請求項７にかかる発明では、取付部が複数個設けられているため、各取付部に作用する荷重を小さくして、主板部の取付部の近傍の撓みを小さくすることができる。
【００２０】
請求項８にかかる発明では、据付板が室内ユニットの壁面側の部分を構成している。このような室内ユニットにおいても、据付板の取付部の強度が向上している。これにより、支持部が主板部から反壁面側に離れた位置に設けられる場合であっても、主として、取付部において、室内ユニットの製品荷重を受けることが可能になるため、取付部の近傍における主板部の撓みが小さくなり、壁面と据付板との隙間が大きくならないようにすることができる。
【００２１】
請求項９にかかる発明では、据付板の取付部によって、上部ケーシングに設けられた吸入口をバイパスして据付板の両側端部付近から流入しようとする室内空気の流れを遮断することができるため、熱交換器への埃等の侵入を防ぐことができる。
【発明を実施するための最良の形態】
【００２２】
以下、本発明の据付板及び空気調和装置の室内ユニットの実施形態について、図面に基づいて説明する。
（１）空気調和装置の外観
図１は、本発明にかかる据付板及び空気調和装置の室内ユニットの一実施形態が採用された空気調和装置１の外観を示す図である。
【００２３】
この空気調和装置１は、空調室内の壁面に取り付けられる室内ユニット２と、室外に設置される室外ユニット３と、室内ユニット２と室外ユニット３とを接続する冷媒配管４とを備えており、各ユニット２、３内に収納された機器・弁類と冷媒配管４とが接続されて冷媒回路を構成している。
（２）空気調和装置の冷媒回路
図２は、空気調和装置１の概略冷媒回路を示す図である。この冷媒回路は、主として、室内熱交換器２１、アキュムレータ３１、圧縮機３２、四路切換弁３３、室外熱交換器３０及び膨張弁３５から構成されている。
【００２４】
室内ユニット２は、主に、室内熱交換器２１を有しており、室内空気との間で熱交換を行う。また、室内ユニット２には、室内空気を吸入して室内熱交換器２１との間で熱交換を行わせた後に室内に吹き出すための室内ファン２２が設けられている。室内ファン２２は、外周部に複数の翼が設けられた細長い円筒形状の羽根車２２ａと、羽根車２２ａを回転駆動するファンモータ２２ｂとを有しており、その回転軸と交わる方向に空気を吹き出すクロスフローファンである。室内ユニット２の詳細な構成については後述する。
【００２５】
室外ユニット３は、主に、圧縮機３２と、圧縮機３２の吐出側に接続された四路切換弁３３と、圧縮機３２の吸入側に接続されたアキュムレータ３１と、四路切換弁３３に接続された室外熱交換器３０と、室外熱交換器３０に接続された膨張弁３５とを有している。膨張弁３５は、液側閉鎖弁３６を介して液冷媒配管４１に接続されており、この液冷媒配管４１を介して室内熱交換器２１の一端と接続されている。また、四路切換弁３３は、ガス側閉鎖弁３７を介してガス冷媒配管４２に接続されており、このガス冷媒配管４２を介して室内熱交換器２１の他端と接続されている。尚、冷媒配管４１、４２は、図１の冷媒配管４に相当する。また、室外ユニット３には、熱源としての室外空気を室外から吸入して室外熱交換器３０との間で熱交換を行わせた後に室外に吹き出すための室外ファン３８が設けられている。室外ファン３８は、プロペラ形状の翼を有する羽根車３８ａと、羽根車３８ａを回転駆動するファンモータ３８ｂとを有しており、その回転軸方向に空気を吹き出すプロペラファンである。
【００２６】
（３）室内ユニットの構成
＜室内ユニットの全体構成＞
室内ユニット２は、図１に示されるように、正面視において横方向に長いユニットケーシング２３を備えており、前述の室内熱交換器２１や室内ファン２２は、室内ユニット２のユニットケーシング２３内に収容されている。このユニットケーシング２３は、図３に示されるように、壁面Ｗに固定された据付板５３を介して壁面Ｗに取り付けられている。しかも、ユニットケーシング２３は、後述のように、後面側が開口しており、据付板５３によって後面側が閉じられている。すなわち、本実施形態において、据付板５３は、室内ユニット２の後面側の部分も構成していることになる。このため、本実施形態において、据付板５３を除いた室内ユニット２を呼ぶ場合には、別の名称で呼ぶ方が望ましいのであるが、下記において特に区別して記載する場合を除いては、便宜上、室内ユニット２と呼ぶことにする。ここで、図３は、室内ユニット２が壁面Ｗに取り付けられた状態を示す側面図である。尚、下記における「前側」及び「後側」とは、それぞれ、室内ユニット２の「反壁面側」及び「壁面側」を意味するものとする。また、下記における「左」及び「右」とは、それぞれ、室内ユニット２の正面視における「左」及び「右」を意味するものとする。
【００２７】
＜ユニットケーシング＞
ユニットケーシング２３は、図１及び図３に示されるように、主として、ケーシング本体５１と、前面パネル５２とから構成されている。
ケーシング本体５１は、上部ケーシング５４と下部ケーシング５５とが上下に組み合わされて構成されている。上部ケーシング５４は、側面視が略逆Ｖ字形の断面形状を有する室内熱交換器２１（図３において破線で図示）の上部、前部及び側部を覆うように配置されており、ユニットケーシング２３の上側部分を構成している。下部ケーシング５５は、室内熱交換器２１の下側に配置された室内ファン２２（図３において破線で図示）を支持するとともに、室内ファン２２を支持した状態で室内熱交換器２１が固定されており、ユニットケーシング２３の下側部分を構成している。
【００２８】
上部ケーシング５４は、下面側と後面側とが開口しており、下面側が下部ケーシング５５によって閉じられ、後面側が据付板５３によって閉じられている。上部ケーシング５４の前面５４ａには、複数の開口が格子状に設けられている。これらの開口の前方は、前面パネル５２によって覆われており、前面パネル５２の上部に設けられた吸入口５２ａから吸い込まれた空調室内の空気が開口を通ってケーシング本体５１内へと取り込まれるようになっている。また、上部ケーシング５４の天面５４ｂには、複数のスリット状の開口からなる吸入口５４ｃが設けられている。これにより、室内ユニット２の天面５４ｂからも空調室内の空気が吸入されるようになっている。
【００２９】
下部ケーシング５５は、天面側と後面側とが開口しており、天面側が上部ケーシング５４によって閉じられ、後面側の一部が据付板５３によって閉じられている。下部ケーシング５５の前面５５ａには、左右に細長い開口からなる吹出口５５ｂ（図１参照）が設けられている。吹出口５５ｂは、ケーシング本体５１内に形成され、室内熱交換器２１及び室内ファン２２が収納されている空間からなる通風路を介して吸入口５２ａ、５４ｃに接続されている。これにより、吸入口５２ａ、５４ｃから吸入された空調室内の空気は、通風路に導入されて室内熱交換器２１を通過した後、室内ファン２２によって昇圧されて、吹出口５５ｂを通って空調室内へと吹き出すようになっている。そして、下部ケーシング５５は、室内熱交換器２１や室内ファン２２を含む各種機器や配管類とともに下部ユニット５６としてモジュール化されている。
【００３０】
前面パネル５２は、正面視において下部ケーシング５５の上方に位置するように、ケーシング本体５１の前面側に取り付けられており、室内ユニット２の前面上部を構成している。吸入口５２ａは、前面パネル５２の上部に設けられており、左右に細長い開口からなる。
＜室内ユニットの壁面取付構造＞
次に、室内ユニット２を据付板５３を介して壁面Ｗに取り付けるための構造について説明する。この取付構造は、図３及び図４に示されるように、据付板５３に設けられた支持部６２ｂと、室内ユニット２に設けられ支持部６２ｂによって支持される被支持部７１ｂとから構成されている。ここで、図４は、下部ユニット５６及び据付板５３を示す斜視図である。
【００３１】
まず、据付板５３について説明する。据付板５３は、室内ユニット２の後面側の部分を構成しており、主として、主板部６１と、取付部６２と、２つの帯状部６３とを有している。
主板部６１は、正面視において横方向に長い長方形状の金属製の板状部材であり、壁面Ｗに沿うように配置されて固定されている。主板部６１の上側の端部には、前面側斜め上方に向かって延びる側面視が「へ」の字形状の上端側折り曲げ部６１ａが形成されている。この上端側折り曲げ部６１ａは、室内ユニット２が壁面Ｗに取り付けられた状態で、上部ケーシング５４の後面側の上端部近傍に配置されている。主板部６１の下側の端部には、前面側斜め下方に向かって延びる下端側折り曲げ部６１ｂが形成されている。この下端側折り曲げ部６１ｂは、室内ユニット２が壁面Ｗに取り付けられた状態で、下部ケーシング５５の後面側の上端部近傍に配置されている。主板部６１の下部の横方向の両端部には、略長方形状の開口からなる角窓部６１ｃが下端側折り曲げ部６１ｂの一部にかかるように形成されている。また、主板部６１の下部には、主板部６１を横方向にほぼ３等分する位置に、角窓部６１ｃと同様略長方形状の開口からなる２つの角窓部６１ｄが形成されている。さらに、主板部６１には、主板部６１（すなわち、据付板５３）を壁面Ｗにネジ止め固定するための複数のネジ孔６１ｆ、６１ｇ、６１ｈが形成されている。ネジ孔６１ｆは、本実施形態において２１個あり、取付部６２の近傍を除く主板部６１の上部に形成されている。ネジ孔６１ｇは、本実施形態において４個あり、主板部６１の下部に形成されている。ネジ孔６１ｈは、本実施形態において８個あり、取付部６２の近傍に形成されている。
【００３２】
帯状部６３は、上下方向に細長い帯状の金属製の板状部材であり、角窓部６１ｄを貫通するように配置されている。帯状部６３の上端部は、主板部６１の上下方向の中間付近を切り起こすことによって形成された１対のタブ６１ｅに差し込まれて固定されている。帯状部６３の下端部には、前面側斜め下方に向かって延びる側面視が「く」の字形状の下端側折り曲げ部６３ａが形成されている。この下端側折り曲げ部６３ａは、室内ユニット２が壁面Ｗに取り付けられた状態で、下部ケーシング５５の後面側の下端部近傍に配置されている。
【００３３】
取付部６２は、本実施形態において、主板部６１の両側端部に設けられており、主として、板状の第１補強部６２ａと、支持部６２ｂとを有している。次に、取付部６２について、図３〜図５を用いて説明する。ここで、図５は、図４の右側に示される取付部６２付近を拡大して示した図である。
第１補強部６２ａは、主板部６１から前面側に向かって延びるように、かつ、主板部６１の上下方向に延びるように形成されている。本実施形態において、第１補強部６２ａは、主板部６１の各側端部を前面側に向かって折り曲げることによって形成された垂直に延びる板状部分である。そして、第１補強部６２ａは、主板部６１との境界位置（すなわち、折り曲げ線Ｍ）から前面側に向かって１５ｍｍ以上、２５ｍｍ以下の距離Ｌ1まで延びている。
【００３４】
支持部６２ｂは、第１補強部６２ａに形成され室内ユニット２を掛止させるための部分であり、第１補強部６２ａから側方に延びるように、かつ、主板部６１の上下方向に延びるように形成された板状部分である。本実施形態において、支持部６２ｂは、第１補強部６２ａの前面側の端部を側方に折り曲げることによって形成された垂直に延びる板状部分である。そして、支持部６２ｂの上端部には、支持部６２ｂの一部を前面側に折り返して形成された折り返し支持部６２ｅが形成されている。この折り返し支持部６２ｅは、被支持部７１ｂが掛止されて室内ユニット２の荷重を直接受ける部分である。
【００３５】
このように、据付板５３では、室内ユニット２の荷重を直接受ける部分である支持部６２ｂが、上下方向に延びるように形成され下向きの荷重に対して強度の高い第１補強部６２ａを介して設けられているため、取付部６２の強度が向上している。しかも、支持部６２ｂが、第１補強部６２ａと同様に、上下方向に延びるように形成されており、下向きの荷重に対して強度が高くなっているため、取付部６２自体の剛性を高めるのに寄与している。
【００３６】
また、上述のネジ孔６１ｈは、取付部６２を構成する第１補強部６２ａの近傍に形成されている。しかも、ネジ孔６１ｈは、主板部６１と第１補強部６２ａとの境界位置（すなわち、折り曲げ線Ｍ）から水平方向に１５ｍｍ以下の距離Ｌ2の範囲内に形成されている。これにより、第１補強部６２ａの近傍における主板部６１の剛性が高くなっている。
また、取付部６２は、支持部６２ｂから後面側に向かって延びるように、かつ、主板部６１の上下方向に延びる板状の第２補強部６２ｃを有している。本実施形態において、第２補強部６２ｃは、支持部６２ｂの側方側の端部を後面側に折り曲げることによって形成された垂直に延びる板状部分であり、第１補強部６２ａと同様に、下向きの荷重に対して強度が高くなっているため、取付部６２自体の剛性を高めるのに寄与している。
【００３７】
さらに、取付部６２は、支持部６２ｂの下側に第１補強部６２ａの前面側の端部から側方に延びる板状のカバー部６２ｄを有している。本実施形態において、カバー部６２ｄは、図３に示されるように、室内ユニット２が壁面Ｗに取り付けられた状態において、室内熱交換器２１の後面側の下部近傍に沿うように配置されている。
次に、被支持部７１ｂについて説明する。被支持部７１ｂは、図４に示されるように室内熱交換器２１の後面側の両側端部に固定された被支持部形成部材７１に形成されている。被支持部形成部材７１には、略３角形の板状の３角板部７１ａが形成されており、３角板部７１ａの上部ケーシング５４の後面側の上端部の近傍に被支持部７１ｂが形成されている。被支持部７１ｂは、後面側に向かうにつれて下方に傾斜するように延びる爪部であり、その下面が据付板５３の支持部６２ｂ（具体的には、折り返し支持部６２ｅ）の上面に掛止されている。これにより、室内ユニット２は、据付板５３を介して壁面Ｗに取り付けられている。しかも、被支持部７１ｂ及び支持部６２ｂは、本実施形態において、複数（具体的には、２個）設けられているため、各取付部６２に作用する荷重が小さくなっている。
【００３８】
また、本実施形態において、据付板５３は、室内ユニット２の一部を構成しており、ユニットケーシング２３の後面側を閉じる機能を有している。より具体的には、図６に示されるように、据付板５３の主板部６１は室内熱交換器２１の両側端部付近を除く後面側を閉じるように配置されており、取付部６２は熱交換器２１の両側端部の近傍に配置されている。これにより、取付部６２の第１補強部６２ａは、据付板５３の主板部６１の両側端部と室内熱交換器２１との前後方向間に形成される隙間を閉じて、室内ユニット２の吸入口５４ｃをバイパスして据付板５３の両側端部付近から流入しようとする室内空気の流れを遮断する機能を有している。
【００３９】
（４）室内ユニットの壁面への取付手順
次に、室内ユニット２の壁面Ｗへの取付手順について、図３、図４及び図７を用いて説明する。ここで、図７は、下部ユニット５６が壁面Ｗに取り付けられた状態を示す側面図である。
最初に、下部ケーシング５５に室内熱交換器２１や室内ファン２２を含む各種機器及び配管類を組み込んで、図４に示すような下部ユニット５６を組み立てる。ここで、室内熱交換器２１の後面側には、被支持部７１ｂを有する被支持部形成部材７１も取り付けておく。尚、この下部ユニット５６を組み立てる作業は、室内ユニット２の出荷前に行われる。
【００４０】
次に、据付板５３を、壁面Ｗの所定の位置に固定する。ここで、据付板５３は、複数のネジ孔６１ｆ、６１ｇ、６１ｈの位置においてネジ止めにより固定されている。
次に、下部ユニット５６の被支持部７１ｂを据付板５３の支持部６２ｂに掛止する（図４の矢印Ａ、図７参照）。これにより、下部ユニット５６は、その後面側の部分が据付板５３の主板部６１及び帯板部６３に当接するように配置される。
【００４１】
次に、下部ユニット５６の被支持部７１ｂが支持部６２ｂに支持された位置を支点Ｐとして回転させて、下部ユニット５６の下部を前面側に傾けることによって、下部ユニット５６と壁面Ｗ（具体的には、据付板５３）との間に、室外ユニット３と配管接続を行うための作業スペースＳを確保する（図７の２点鎖線で示された下部ユニット５６参照）。
ここで、下部ユニット５６は、室内熱交換器２１の頂部が空調室内の天井面Ｕに当たるまで回転させることができるようになっており、それに応じて、作業スペースＳが確保されるようになっている。このため、室内ユニット２の高さ方向のサイズが大きい場合のように、室内ユニット２を天井面Ｕの近傍に配置せざるを得ない場合には、作業スペースＳのサイズが制約されることになる。
【００４２】
しかし、本実施形態の据付板５３の取付部６２のように、支持部６２ｂが第１補強部６２ａを介して設けられている場合には、取付部６２の強度が向上しているため、第１補強部６２ａの前面側への突出距離Ｌ1を大きくすることができるようになる。これにより、下部ユニット５６の下部を前面側に向かって大きく回転させても、室内熱交換器２１の頂部が天井面Ｕに当たらなくなり、作業スペースＳが確保されやすくなっている。
【００４３】
最後に、図３に示されるように、上部ケーシング５４及び前面パネル５２を下部ユニット５６に取り付けることによって、室内ユニット２を壁面Ｗに取り付けられる。
（５）空気調和装置の動作
次に、空気調和装置１の動作について、図２を用いて説明する。
＜冷房運転＞
まず、冷房運転について説明する。冷房運転時は、四路切換弁３３が図２の実線で示される状態、すなわち、圧縮機３２の吐出側が室外熱交換器３０のガス側に接続され、かつ、圧縮機３２の吸入側が室内熱交換器２１のガス側に接続された状態となっている。また、液側閉鎖弁３６及びガス側閉鎖弁３７は開にされ、膨張弁３５は冷媒を減圧するように開度調節されている。
【００４４】
この冷媒回路の状態で、室外ファン３８、室内ファン２２及び圧縮機３２を起動すると、冷媒は、圧縮機３２に吸入されて圧縮された後、四路切換弁３３を経由して室外熱交換器３０に送られて、外気と熱交換して凝縮される。この凝縮した冷媒は、膨張弁３５において減圧された後、液側閉鎖弁３６及び液冷媒配管４１を経由して室内ユニット２に送られる。そして、室内ユニット２に送られた冷媒は、室内熱交換器２１で室内空気と熱交換して蒸発される。この蒸発した冷媒は、ガス冷媒配管４２を経由して、室外ユニット３に戻される。そして、室外ユニット３に戻された冷媒は、ガス側閉鎖弁３７、四路切換弁３３及びアキュムレータ３１を経由して、再び、圧縮機３２に吸入される。
【００４５】
＜暖房運転＞
次に、暖房運転について説明する。暖房運転時は、四路切換弁３３が図２の破線で示される状態、すなわち、圧縮機３２の吐出側が室内熱交換器２１のガス側に接続され、かつ、圧縮機３２の吸入側が室外熱交換器３０のガス側に接続された状態となっている。また、液側閉鎖弁３６及びガス側閉鎖弁３７は開にされ、膨張弁３５は冷媒を減圧するように開度調節されている。
【００４６】
この冷媒回路の状態で、室外ファン３８、室内ファン２２及び圧縮機３２を起動すると、冷媒は、圧縮機３２に吸入されて圧縮された後、四路切換弁３３、ガス側閉鎖弁３７及びガス冷媒配管４２を経由して室内ユニット２に送られる。そして、室内ユニット２に送られた冷媒は、室内熱交換器２１で室内空気と熱交換して凝縮される。この凝縮した冷媒は、液冷媒配管４１を経由して室外ユニット３に戻される。そして、室外ユニット３に戻された冷媒は、液側閉鎖弁３６を経由して、膨張弁３５に送られて減圧された後、室外熱交換器３０に送られて、室外空気と熱交換して蒸発される。この蒸発された冷媒は、四路切換弁３３及びアキュムレータ３１を経由して、再び、圧縮機３２に吸入される。
【００４７】
＜据付板の取付部のバイパス防止＞
上記の冷房運転及び暖房運転において、空調室内の空気は、吸入口５２ａ、５４ｃから室内ユニット２内に吸入されるが、本実施形態の室内ユニット２のように、据付板５３が室内ユニット２の後面側の部分を構成している場合には、据付板５３と室内熱交換器２１との前後方向間に形成される隙間から空気が吸入されるおそれがある。しかし、本実施形態の室内ユニット２では、据付板５３の取付部６２（具体的には、第１補強部６２ａ）が据付板５３と室内熱交換器２１との前後方向間に形成される隙間を閉じるように設けられているため、このような隙間から流入しようとする空気を遮断することができて、室内熱交換器２１への埃等の侵入を防ぐことができる。
【００４８】
（６）据付板及び空気調和装置の室内ユニットの特徴
本実施形態の据付板５３及び空気調和装置１の室内ユニット２には、以下のような特徴がある。
（Ａ）
従来の据付板９５３では、図８に示されるように、主板部９６１から上方に向かって延びる側面視が略Ｌ字形状の取付部９６２を有している。この取付部９６２は、主板部９６１から反壁面側に向かって延びるようにかつ側方に向かって延びる突出部９６２ａと、突出部９６２ａの反壁面側端部から上方に向かって延びる支持部９６２ｂとから構成されている。このため、支持部９６２ｂを反壁面側に配置するために突出部９６２ａの反壁面側への突出距離Ｌ0を大きくすると、突出部９６２ａの下向きの荷重に対する強度が低下してしまい、結果的に、取付部９６２に室内ユニット２の製品荷重を受けるのに十分な強度を保持させることができなくなる。このため、突出部９６２ａの反壁面側への突出距離Ｌ0は、１０ｍｍ程度までしか大きくすることができなかった。
【００４９】
しかし、本実施形態の据付板５３では、上下方向に延びるように形成され下向きの荷重に対して強度の高い第１補強部６２ａを介して、取付部６２の支持部６２ｂが設けられているため、取付部６２の強度が向上している。これにより、支持部６２ｂが主板部６１から反壁面側に離れた位置（図３、図５及び図７の距離Ｌ1）に設けられる場合であっても、取付部６２の近傍における主板部６１の撓みが小さくなり、壁面Ｗと据付板５３との隙間が大きくならないようにすることができる。
【００５０】
特に、第１補強部６２ａが主板部６１との境界位置から反壁面側に向かって延びる距離Ｌ1としては、１５ｍｍ以上、２５ｍｍ以下に設定するのが好ましい。例えば、第１補強部６２ａを主板部６１との境界位置（折り曲げ線Ｍ）から反壁面側に向かって２５ｍｍよりも大きくなるように延ばすと、支持部６２ｂを主板部６１から大きく離れた位置に配置することができるが、第１補強部６２ａに下向きの荷重に対する強度を保持させることができなくなるおそれがある。一方、第１補強部６２ａを主板部６１との境界位置から反壁面側に向かって１５ｍｍよりも小さくなるように延ばすと、支持部６２ｂ（具体的には、室内ユニット２を回転させる際の支点Ｐ）を主板部６１から離れた位置に配置することができなくなる。このように、本実施形態の据付板５３では、距離Ｌ1が１５ｍｍ以上、２５ｍｍ以下の距離に設定されているため、第１補強部６２ａに下向きの荷重に対する強度を保持させつつ、支持部６２ｂを主板部６１から離れた位置に配置することができる。
【００５１】
また、支持部６２ｂは、第１補強部６２ａから側方に延びるように、かつ、主板部６１の上下方向に延びるように形成された板状部分であるため、第１補強部６２ａと同様に、下向きの荷重に対して強度が高くなっており、取付部６２自体の剛性が高くなっている。これにより、主板部６１の取付部６２の近傍の撓みを小さくするのに寄与できる。
また、取付部６２は、支持部６２ｂから壁面側に向かって延びるように、かつ、主板部６１の上下方向に延びる板状の第２補強部６２ｃをさらに有しているため、第１補強部６２ａ及び支持部６２ｂと同様に、下向きの荷重に対して強度が高くなっており、取付部６２自体の剛性がさらに高くなっている。これにより、主板部６１の取付部６２の近傍の撓みを小さくするのに寄与できる。
【００５２】
さらに、取付部６２は、複数個（本実施形態では、２個）設けられているため、各取付部６２に作用する荷重を小さくして、主板部６１の取付部６２の近傍の撓みを小さくすることができる。
（Ｂ）
本実施形態の据付板５３では、主板部６１の第１補強部６２ａの近傍にネジ孔６１ｈが形成されており、このネジ孔６１ｈの位置において主板部６１が壁面Ｗにネジ止めにより固定されているため、第１補強部６２ａの近傍における主板部６１の撓みをさらに少なくできる。
【００５３】
特に、主板部６１のネジ孔６１ｈは、主板部６１と第１補強部６２ａとの境界位置から水平方向に１５ｍｍ以下（図５の距離Ｌ2）の範囲内に形成するのが好ましい。例えば、ネジ孔６１ｈを主板部６１と第１補強部６２ａとの境界位置から水平方向に１５ｍｍよりも遠くに離して形成すると、第１補強部６２ａの近傍において、主板部６１に撓みが生じるおそれのある領域を壁面Ｗに固定することができなくなる。しかし、この据付板５３では、距離Ｌ2が１５ｍｍ以下の距離に設定されているため、第１補強部６２ａの近傍における主板部６１の撓みを少なくする効果を確実に得ることができる。
【００５４】
（Ｃ）
本実施形態の室内ユニット２の据付板５３は、室内ユニット２の一部を構成しており、室内熱交換器２１の後面側を閉じる機能を有している。そして、据付板５３の取付部６２は、図６に示されるように、室内ユニット２の吸入口５４ｃをバイパスして据付板５３の両側端部付近から流入しようとする室内空気の流れを遮断するために、熱交換器の両側端部の近傍に配置されている。これにより、室内熱交換器２１への埃等の侵入を防ぐことができる。
【００５５】
特に、取付部６２の第１補強部６２ａは、据付板５３の主板部６１の両側端部と室内熱交換器２１との前後方向間に形成される隙間を閉じる機能を有しており、本実施形態のように、据付板５３の取付部６２の支持部６２ｂを前面側に配置した室内ユニット２においては、取付部６２の強度を向上させるとともに、室内空気のバイパス流れを遮断することができる。
【００５６】
（７）据付板の変形例
前記実施形態では、取付部６２が、平面視において、第１補強部６２ａ、支持部６２ｂ及び第２補強部６２ｃとを結ぶ「コ」の字形状に形成されているが、図９に示されるように、取付部６２が第２補強部６２ｃの後面側端部から第１補強部６２ａ側に折り返すように側方（具体的には、第１補強部６２ａ側）に延びる補助板部６２ｅをさらに有していてもよい。
【００５７】
さらに、図１０に示されるように、補助板部６２ｅが図９に示される変形例とは逆の方向に延びていてもよい。この場合、補助板部６２ｅにネジ孔６１ｉを設けて壁面にネジ止め固定することによって、支持部６２ｂが第１補強部６２ａ及び第２補強部６２ｃを介して設けるようにして、取付部６２の強度をさらに高めるようにしてもよい。
（８）他の実施形態
以上、本発明の実施形態について図面に基づいて説明したが、具体的な構成は、これらの実施形態に限られるものではなく、発明の要旨を逸脱しない範囲で変更可能である。
【００５８】
例えば、前記実施形態では、据付板が室内ユニットの後面側の部分を構成しているが、これに限定されず、後面側の部分を含む室内ユニットを壁面に取り付けられた据付板に取り付ける構成のものに採用してもよい。
【産業上の利用可能性】
【００５９】
本発明を利用すれば、壁掛け形の空気調和装置の室内ユニットを壁面に固定された据付板を介して取り付けた際に、据付板と壁面との間の隙間が大きくならないようにすることができる。
【図面の簡単な説明】
【００６０】
【図１】本発明にかかる据付板及び空気調和装置の室内ユニットの一実施形態が採用された空気調和装置の外観を示す図である。
【図２】空気調和装置の概略冷媒回路を示す図である。
【図３】室内ユニットが壁面に取り付けられた状態を示す側面図である。
【図４】下部ユニット及び据付板を示す斜視図である。
【図５】図４に示される取付部付近を拡大して示した図である。
【図６】室内ユニットが壁面に取り付けられた状態を壁面側から見た斜視図である。
【図７】下部ユニットが壁面に取り付けられた状態を示す側面図である。
【図８】従来の据付板を示す斜視図である。
【図９】据付板の第１の変形例を示す図であって、図５に相当する図である。
【図１０】据付板の第２の変形例を示す図であって、図５に相当する図である。
【符号の説明】
【００６１】
２  室内ユニット
２１  室内熱交換器
２２  室内ファン
５３  据付板
５４  上部ケーシング
５４ｃ  吸入口
５５  下部ケーシング
６１  主板部
６１ｈ  ネジ孔
６２  取付部
６２ａ  第１補強部
６２ｂ  支持部
６２ｃ  第２補強部
Ｌ1、Ｌ2  距離
Ｍ  折り曲げ線
Ｗ  壁面
【図１】
2005069636.tif 000003
【図２】
2005069636.tif 000004
【図３】
2005069636.tif 000005
【図４】
2005069636.tif 000006
【図５】
2005069636.tif 000007
【図６】
2005069636.tif 000008
【図７】
2005069636.tif 000009
【図８】
2005069636.tif 000010
【図９】
2005069636.tif 000011
【図１０】
2005069636.tif 000012